(57)【要約】      （修正有）【課題】 内容器内に溜まったドレンを外部へ排出することのできる液体保温容器を提供する。【解決手段】 上下端開口の内容器２と、外装体４と、蓋体５と、内容器２を支える底板６と、外装体４下部前方との間に空間部２９を有する台座９と、内容器２の下端開口に連通したジョイントパイプ１０と、内容器２内の液体を台座９の空間部２９に向けて吐出する吐出機構１１と、外装体４の前面に着脱自在に装着する前カバー１３とを備えた液体保温容器１であって、上記ジョイントパイプ１０の下方より台座９の空間部２９に向けて斜め下方となる傾斜部５１を備えたドレン排出台３２を設け、液体保温容器１の吐出機構１１を前カバー１３と共に取り外して、内容器２に溜まったドレンをジョイントパイプ１０よりドレン排出台３２に通し台座９の空間部２９に向けて排出する構成としている。【選択図】図２
2005137525.tif 000002
【特許請求の範囲】
【請求項１】
上下端開口の内容器（２）と、内容器（２）を囲む外装体（４）と、外装体（４）の上端中央に着脱自在に装着し、内容器（２）の上端開口を開閉する蓋体（５）と、外装体（４）内の下端に装着し、内容器（２）を支える底板（６）と、外装体（４）下部前方との間に空間部（２９）を有する台座（９）と、内容器（２）の下端開口に連通したジョイントパイプ（１０）と、このジョイントパイプ（１０）に連通し、内容器（２）内の液体を台座（９）の空間部（２９）に向けて吐出する吐出機構（１１）と、吐出機構（１１）を覆い、外装体（４）の前面に着脱自在に装着する前カバー（１３）とを備えた液体保温容器（１）であって、上記ジョイントパイプ（１０）の下方より台座（９）の空間部（２９）に向けて斜め下方となる傾斜部（５１）を備えたドレン排出台（３２）を設け、液体保温容器（１）の吐出機構（１１）を前カバー（１３）と共に取り外して、内容器（２）に溜まったドレンをジョイントパイプ（１０）よりドレン排出台（３２）に通し台座（９）の空間部（２９）に向けて排出することを特徴とした液体保温容器。
【発明の詳細な説明】
【技術分野】
【０００１】
本発明は、内容器内に溜まったドレンを外部へ排出することのできる液体保温容器に関するものである。
【背景技術】
【０００２】
従来、自然吐出式の液体保温容器としては、内容器の上端を液体が注入しやすいように広口とし、下端を細口とした両口瓶を設け、下端細口を開閉することによって、内容器内の液体を自然吐出する構造のものが実公平１−３２９９４号公報（特許文献１  図参照）として存在する。
【０００３】
【特許文献１】実公平１−３２９９４号（図面）
【０００４】
以下、特許文献１の図面により従来の液体保温容器について説明する。
この特許文献１の保温容器にあっては、上下端開口の中容器６を設け、この中容器６を囲んだ外装体５を設け、底体４の中央で締上げ体２２を締めて中容器６を押し上げ保持し、底体４の下部中央周りで中容器６下端との間に空間を備えて取付けられた底蓋２４を設け、底体４の下部に脚７と台８とからなる台座を設け、台８と外装体５の前方下部に空所１０を設けた構成としている。
【０００５】
そして、中容器６の下端開口には、濾過部材２７を取付け、この濾過部材２７の下端に閉鎖蓋を設け、前方に向けて延びた流出部２９を設けている。更に、この流出部２９と連通し、注出口３４を備えた注出口部材３２、注出口３４を開閉する開閉弁３９、開閉弁３９を前後摺動するロッド３７、ロッド３７を作動する操作桿、操作桿を前方上方より操作する操作部材４３とからなる吐出機構を設けている。
【０００６】
この吐出機構の注出口部材３２は、底体４に支持されており、吐出機構の操作桿、操作部材４３が外装体５の前方に固定保持され、操作部材４３の押圧によって、注出口３４より中容器６内の液体を空所１０に向けて吐出していた。
【発明の開示】
【発明が解決しようとする課題】
【０００７】
ところが、この保温容器は、吐出機構が保温容器本体１に対して着脱自在に装着することが出来ない構造であるために、中容器６内に溜まったドレンを排出するには、一旦、保温容器本体１を逆位にして台座を取り外し、底蓋２４を取り除き濾過部材２７の閉鎖蓋を取り外して、もう一度保温容器本体１を元の位置に復帰させ、自然落下させなければならなかったために、取り外しが煩わしくて手間がかかるという問題点があった。
【０００８】
又、吐出機構の注出口部材３２は、底体４に支持されているために、取り付けも手間がかかって、スムーズにドレンを取り出すことができないという問題点があった。更に、注出口部材３２の閉鎖蓋上部には、多量のドレンが溜まりやすく、ドレン排出時一気に溢れることとなって、この近辺の底蓋２４内側を水浸しにするという問題点があった。
【課題を解決するための手段】
【０００９】
本発明は、上下端開口の内容器２と、内容器２を囲む外装体４と、外装体４の上端中央に着脱自在に装着し、内容器２の上端開口を開閉する蓋体５と、外装体４内の下端に装着し、内容器２を支える底板６と、外装体４下部前方との間に空間部２９を有する台座９と、内容器２の下端開口に連通したジョイントパイプ１０と、このジョイントパイプ１０に連通し、内容器２内の液体を台座９の空間部２９に向けて吐出する吐出機構１１と、吐出機構１１を覆い、外装体４の前面に着脱自在に装着する前カバー１３とを備えた液体保温容器１であって、上記ジョイントパイプ１０の下方より台座９の空間部２９に向けて斜め下方となる傾斜部５１を備えたドレン排出台３２を設け、液体保温容器１の吐出機構１１を前カバー１３と共に取り外して、内容器２に溜まったドレンをジョイントパイプ１０よりドレン排出台３２に通し台座９の空間部２９に向けて排出する構成としている。
【発明の効果】
【００１０】
本発明は、従来の問題点を解決したものであって、前カバーと共に着脱自在な吐出機構を管端に取り外すだけで、内容器内に溜まったドレンが液体保温容器を逆位にすることなく、そのままの姿勢でドレン排出台に沿ってスムーズに流れ落ち、全く手間をかけずに排出することができる。又、排出されたドレンは、外装体内に侵入、外装体内に水滴を浸けることなく、自然落下させて外部へ注出することができる。
【発明を実施するための最良の形態】
【００１１】
液体保温容器１は、上下端開口の内容器２と、内容器２の底部外壁にあって内容器内の液体を温めるヒータ３と、内容器２を囲む外装体４と、外装体４の上端中央に着脱自在に装着し、内容器２の上端開口を開閉する蓋体５と、外装体４内下端に装着し、内容器２を支える底板６と、中央のヒータ３を支え、下部への放熱を遮蔽する金属製の遮蔽板７と、この遮蔽板７と間隔を隔てて外装体４の下部前面を残して外装体下端面を覆う底カバー体８と、底カバー体８に装着し、外装体下部前方との間に空間部を有する台座９と、内容器２の下端開口に連通のジョイントパイプ１０に連通し、内容器内の液体を台座９の空間部２９に向けて吐出する吐出機構１１と、内容器内の液量を外装体の前面上下にて表示する液量表示機構１２と、外装体の前面より下部前面にあって、吐出機構１１及び液量表示機構１２を覆う前カバー１３と、ジョイントパイプ１０の下端にあって、ジョイントパイプ１０からのドレンを台座９の空間部２９に向けて排出するドレン排出台３２とから構成されている。
【００１２】
内容器２は、ガラス製又はステンレス等の金属製の一重容器で有底筒状に形成されており、上端を内容器内に手を入れて掃除しやすいような広口とし、下端を細口として開口している。内容器２は、ガラス製のときには内壁に銀蒸着を施すようにしてもよい。この内容器２の下端細口には、図２に示すように、ゴム等の弾性材料からなる中空のジョイントパイプ１０を連通している。
【００１３】
ヒータ３は、内容器２の下端開口周りにリング状にして貼り付けられており、内容器内の液体を温めるだけで、沸騰させるものではない。１５は、サーミスタ等の温度感知器である。
【００１４】
外装体４は、合成樹脂材料にて図２に示すように、内容器２の周側壁を覆う胴部と、内容器２の上端部を覆う肩部とを一体成形しており、上端の中央を段状に下げて、内容器２の上端開口とシールパッキンを介して連通している。この外装体４の上端中央の段状内側壁には、ネジを刻設し後述の蓋体を螺着するようにしている。
外装体４は、内容器２と所定の間隔を隔てており、下部内周壁に適宜の間隔を隔てて後述の底板６を係止する複数の係止片を設けている。
【００１５】
外装体４は、図３及び図４に示すように、前面壁上部両側より前方に突出した左、右上部フランジ部２４、２４を設けている。この左、右上部フランジ部２４、２４は、それぞれ上面に図３に示すように、後述の前カバー１３の突起を嵌め込むくぼみ２７を設けている。
【００１６】
この左、右上部フランジ部２４、２４の間は、図４に示すように、左右に設けた立壁３０，３０にて仕切られており、この立壁３０，３０間に後述の吐出機構１１のタッチ板３７を前カバー１３と共に嵌め込んでいる。
内容器２と外装体４との間の空所１４には、発泡ウレタンを充填して、保温性、耐久性等の向上をはかっている。
【００１７】
蓋体５は、外装体４の段状に刻設されたネジに螺着し、中央を上下に開口する下蓋１６と、下蓋１６の上面を覆い、中央を上下に広い開口とする上蓋１７と、下蓋１６の下端中央より垂下した注水パイプ１８と、注水パイプ１８と連通する漏斗状の液体路を備え、上蓋１７と下蓋１６との間に設けて、操作レバー１９にて回動するガイド板２０と、ガイド板２０に伴って摺動し、液体路を開閉する開閉板２１とを設けている。
【００１８】
この蓋体５は、外装体４の段状内に螺着したままで、操作レバー１９を操作し開閉板２１を移動して開放し、上蓋１７の中央の開口よりガイド板２０の液体路及び下蓋１６の中央の開口並びに注水パイプ１８内を連通して、上蓋１７の上方より内容器内に液体を供給することができる。
【００１９】
また、液体の供給が終了すれば、操作レバー１９を逆方向に操作して、開閉板２１を逆方向に移動し閉鎖する。これにより上蓋１７の中央の開口とガイド板２０の液体路とが確実に遮蔽され、液体の供給を阻止することができる。この蓋体５は、螺着したままで内容器内に液体を供給する構造としたが、特にこれに限定されるものではなく、通常の着脱式の栓構造であっても何ら支障をきたすものではない。
【００２０】
内容器２を支える底板６は、中央のヒータ３より離れた内周壁にて開口し、この内周壁を形成する壁に上方に突出した環状の支柱２２を設け、外周壁を外装体４の下部内周壁に複数設けた係止片に係止している。この底板６は、図３及び図４に示すように、前方左右両側に後述の前カバー１３の嵌合片を引っ掛ける垂下片２３、２３を下方に向けて垂下している。この底板６の垂下片２３の先端には、それぞれ前後方向に貫通した嵌合孔２８を設けている。
【００２１】
この底板６を外装体４の係止片に係止して、内容器２を支柱２２にて支えた後に、この底板６と外装体４と内容器２との空所１４に発泡ウレタンを充填して、保温性、耐久性を向上し、しかも外装体４に係止する底板６の固定を確かなものとしている。
【００２２】
遮蔽板７は、ステンレス等の金属材料にて薄板で中央開口のほぼ円盤状に形成しており、底板６にビス止めされて、ヒータ３の熱が下方に向けて放熱しないようにしている。この遮蔽板７は、後述のドレン排出台３２を固定している。
【００２３】
底カバー体８は、合成樹脂材料にて形成しており、遮蔽板７と上下に間隔を隔てて外装体４の下部前面を除いて外装体下端面を覆っている。この底カバー体８と遮蔽板７との間に温度ヒューズや電子回路を備えた基板等を配置するようにしている。
この底カバー体８は、後述の台座９と一体形成しても何ら支障をきたすものではない。
【００２４】
台座９は、合成樹脂材料にて形成しており、底カバー体８の外周端に装着して、外装体４下部前方との間に空間部２９を備えている。３０は液体を受けるコップである。
ジョイントパイプ１０は、ゴム等の弾性材料にてＬ字型の中空パイプであって、上方を内容器２の下端開口に内側より嵌め込まれて連通している。
【００２５】
吐出機構１１は、ジョイントパイプ１０に連通する液通路を備えたユニットパイプ３１と、ユニットパイプ３１内で液通路を閉鎖、開放する弁体と、弁体を外部前面より操作するレバー３３と、レバー３３を摺動する摺動板３４と、弁体を復帰するスプリングと、液通路と連通し液体を吐出する吐出パイプ３５と、外装体４の前方上部の左、右上部フランジ板２４、２４の立壁２５、２５間に設けて摺動板３４を操作するタッチ板３７と、タッチ板３７の駆動を摺動板３４を介してレバー３３に伝える操作軸３８とから構成されている。
【００２６】
この吐出機構１１は、図３及び図４に示すように、後述の前カバー１３に固定されており、液体保温容器１の本体より前カバー１３の着脱と共に着脱している。この吐出機構１１のユニットパイプ３１及び摺動板３４とが後述の前カバー１３の内側に突出した保持板３６に固定されている。前カバー１３が液体保温容器１の本体に対して着脱すると共にこのユニットパイプ３１の後端部が液体保温容器１の本体内のジョイントパイプ１０内側に密に嵌合、離脱するようにしている。
【００２７】
この吐出機構１１は、タッチ板３７に指を掛けタッチ板３７を押圧すると、操作軸３８を降下する。この操作軸３８の降下により摺動板３４を介してレバー３３を後方に押圧する。このレバー３３の押圧によりユニットパイプ３１内の弁体を後方に押圧して、ユニットパイプ３１内の液通路と吐出パイプ３５とを連通し、内容器２内の液体を吐出パイプ３５先端より吐出する。
【００２８】
又、タッチ板３７に掛けた指を離すと、操作軸３８が復帰して上昇する。この操作軸３８の上昇により摺動板３４を介してレバー３３を復帰させ、ユニットパイプ３１内の弁体をスプリングを介して前方に復帰させ、液通路と吐出パイプ３５との連通を閉鎖し液体の吐出を防止する。
【００２９】
液量表示機構１２は、後述の前カバー１３前方より目視でき、内容器内の液量を示す液量パイプ３９と、一端を液量パイプ３９の下端に連通し、他端をユニットパイプ３１の液通路と連通する下部ジョイントパイプ４１と、一端を液量パイプ３９の上端に連通し、他端を内容器２の上端開口の高さ近くまで延ばして自由端とした上部ジョイントパイプ４０とからなっている。上部ジョイントパイプ４０は、後述の前カバー１３の上部突起片２５に支持し、下部ジョイントパイプ４１は、後述の前カバー１３の下部突起片２６に支持している。
【００３０】
この液量パイプ３９に蓮通した下部ジョイントパイプ４１の他端は、ユニットパイプ３１内の弁体摺動部分よりも後方で、ジョイントパイプ１０内に嵌合されるユニットパイプ３１の後方よりも前方の液通路側と連通している。これにより前カバー１３と共に着脱する吐出機構１１に同調して液量表示機構１２も前カバー１３と共に液体保温容器１の本体より着脱することとなる。
【００３１】
前カバー１３は、図３及び図４に示すように、上部内側の左右に外装体４の左、右上部フランジ板２４、２４上に重ね合わされる左、右フランジ部４２、４２と、上部ジョイントパイプ４０を支える上部突起片２５と、下部ジョイントパイプ４１を支える下部突起片２６と、吐出機構１１のユニットパイプ３１及び摺動板３４とを固定する保持板３６と、下部内側の左右に嵌合部４３、４３とを一体成形している。
４４は、液量パイプ３９を目視するために切り欠いた透明部である。左、右フランジ部４２、４２は、それぞれ下面に左、右上部フランジ板２４、２４のくぼみ２７、２７に嵌め合う突起４５、４５を設けている。
【００３２】
前カバー１３の嵌合部４３は、図３に示すように、前カバー１３の底部より一旦上昇して後方に延び彎曲して前方に延びた挿入片４６と、この挿入片４６より下方に垂下して前方に延びた押圧片４７とを一体成形して、押圧片４７を前カバー１３の底部と別離としている。挿入片４６の下面壁には、底板６の嵌合孔２８に挿入片４６が挿入された後に、嵌合孔２８より挿入片４６が抜き出るのを阻止する爪部４８を設けている。押圧片４７は、前カバー１３の底部と別離しているので、弾性を有することとなって、挿入片４６の下側の壁を押し上げることができる。
【００３３】
前カバー１３を液体保温容器１の本体より取り外すには、嵌合部４３の押圧片４７を上方に押して前方へ引くと弾性により挿入片４６の爪部４８が押し上げられ、底板６の嵌合孔２８より挿入片４６がはずれて前カバー１３を前方へ引き出せ、更に上部の左、右フランジ部４２、４２の突起４５、４５も外装体４のくぼみ２７、２７よりはずれて、前カバー１３を工具無しに極めて簡単に取り外すことができる。
【００３４】
勿論、前カバー１３を前方へ引き出せば、ユニットパイプ３１の後端部がジョイントパイプ１０よりはずれ、この前カバー１３と共に吐出機構１１も液体保温容器１の本体より極めて簡単に取り外すことができる。更に液量表示機構１２も吐出機構１１と同様に前カバー１３と共に液体保温容器１の本体より取り外すことができる。
【００３５】
又、逆に前カバー１３を液体保温容器１の本体に装着するには、上部の左、右フランジ部４２、４２の各突起４５を外装体４の各くぼみ２７に嵌め込んだ後に、各嵌合部４３の挿入片４６を底板６の各嵌合孔２８に向けて差し込むと、挿入片４６の爪部４８が嵌合孔２８の後方より嵌合孔２８を形成する下壁に係止されて、前カバー１３を工具無しに確実、簡単に装着することができる。
【００３６】
勿論、嵌合部４３の挿入片４６を底板６の各嵌合孔２８に向けて差し込むと同時に吐出機構１１のユニットパイプ３１の後端部をジョイントパイプ１０内に差し込むことにより、吐出機構１１を液量表示機構１２と共に液体保温容器１の本体に装着することができる。このジョイントパイプ１０内に差し込まれる吐出機構１１のユニットパイプ３１の後端部とジョイントパイプ１０とは常に嵌合時の位置決めがなされている。
【００３７】
ドレン排出台３２は、図５に示すように、ジョイントパイプ１０の前方部を保持し、半円弧状に切り欠いた掛止部４９と、ジョイントパイプ１０の前方部を両側より挟んだ左、右側壁５０，５０と、この両側壁５０，５０間の底部を覆い掛止部４９より前方先端に向けて傾斜した傾斜部５１と、掛止部４９の両側より斜め前方に延びた左、右垂直壁５２，５２と、左、右垂直壁５２，５２の前部外側上端にドレン排出台３２を遮蔽板７に固定するための止め部５３とを一体成形している。
【００３８】
この遮蔽板７に固定されたドレン排出台３２の傾斜部５１は、図３に示すように、先端が底カバー体８の先端に密に重なり合っている。従って、ジョイントパイプ１０からのドレンは、左、右側壁５０，５０に挟まれて、傾斜部５１上を滑りながら台座９の空間部２９に流れ落ちることとなる。
【００３９】
このドレン排出台３２は、遮蔽板７に固定されているが、設計上、又は構造上、底板６，又は底カバー体８に一体成形されても何ら支障をきたすものではない。ドレン排出台３２は、図４に示すように、左垂直壁５２と左側壁５０との間に底板６の左側垂下片２３を挟み込み、右垂直壁５２と右側壁５０との間に底板６の右側垂下片２３を挟み込むようにしている。
【００４０】
このようにして、前カバー１３と共に吐出機構１１を取り外すだけで、内容器２内に溜まったドレンが液体保温容器を逆さにして台座９から順次解体していくこともなく、液体保温容器をそのままの姿勢で、ドレン排出台３２に沿わせて台座９の空間部２９に向けて流れ落とすことができる。しかも、ドレン排出台３２の先端は、底カバー体８の先端に密に重なり合っているので、ドレンが底カバー体８の後方の底板７との間に入り込むことがなく、電気配線等を断線させる恐れが全くない。
【００４１】
以上本発明の代表的と思われる実施例について説明したが、本発明は必ずしもこれら実施例構造のみに限定されるものではなく、自然落下式の魔法びん等のように本発明にいう前記の構成要件を備え、かつ、本発明にいう目的を達成し、本発明にいう効果を有する範囲内において適宜改変して実施することができるものである。
【図面の簡単な説明】
【００４２】
【図１】本発明実施例の正面図。
【図２】本発明実施例の縦断面図。
【図３】本発明実施例の前カバーを取り外した一部縦断面図。
【図４】本発明実施例の前カバーを取り外した斜視図。
【図５】本発明実施例のドレン排出台を示す斜視図。
【符号の説明】
【００４３】
１…液体保温容器
２…内容器
４…外装体
５…蓋体
６…底板
７…遮蔽板
８…底カバー体
９…台座
１０…ジョイントパイプ
１１…吐出機構
１２…液量表示機構
１３…前カバー
２３、２３…垂下片
３１…ユニットパイプ
３２…ドレン排出台
４９…掛止壁
５０、５０…左、右側壁
５１…傾斜部
５２、５２…左、右垂直壁
５３…止め部
【図１】
2005137525.tif 000003
【図２】
2005137525.tif 000004
【図３】
2005137525.tif 000005
【図４】
2005137525.tif 000006
【図５】
2005137525.tif 000007